(57)【要約】【課題】複数のエレベーターの乗場が互いに離れていても、乗客がエレベーターの運転状態を容易に知る・ことを可能ならしめるエレベーター装置を提供すること。【解決手段】建物ないの離れた場所に設置された複数のエレベーター１ａ，１ｂの運転状態に関する情報を収集し、収集されたあるエレベーター１ｂの運転状態に関する情報はエレベーター１ａの乗場８ａにおいて表示装置９ａに表示し、収集されたあるエレベーター１ａの運転状態に関する情報はエレベーター１ｂの乗場８ｂにおいて表示装置９ｂに表示する。【選択図】図１
2012106822.tif 000002
【特許請求の範囲】
【請求項１】
エレベーターの運転状態を制御する制御装置に接続され、前記エレベーターの運転状態を監視する監視装置を備えたエレベーターが建物内の離れた場所にそれぞれ設置されたエレベーター装置において、
前記監視装置の全てに接続され、それぞれのエレベーターの運転状態に関する情報を収集する監視センタ装置と、各エレベーターの乗り場にそれぞれ設置された表示装置とを備え、
該監視センタ装置は、収集した各エレベーターの運転状態に関する情報の内、或るエレベーターの運転状態に関する情報を他のエレベーターの監視装置を経由して他のエレベーターの制御装置に送信し、他のエレベーターの制御装置が乗り場の表示装置に送信して、或るエレベーターの運転状態に関する情報を他のエレベーター乗り場の表示装置に表示するように構成したことを特徴とするエレベーター装置。
【請求項２】
第一のエレベーターの運転状態を制御する第一の制御装置に接続され、前記第一のエレベーターの運転状態を監視する第一の監視装置と、
第二のエレベーターの運転状態を制御する第二の制御装置に接続され、前記第二のエレベーターの運転状態を監視する第二の監視装置と、
前記第一および第二の監視装置から、それぞれ前記第一及び第二のエレベーターの運転状態に関する情報を通信回線を介して収集する監視センタ装置と、
を備えるエレベーター装置において、
前記監視センタ装置は、収集した前記第一および第二のエレベーターの運転状態に関する情報の内、一方のエレベーターの運転状態に関する情報を前記通信回線を介して他方のエレベーターの監視装置へ送信し、前記他方のエレベーターの監視装置は前記一方のエレベーターの運転状態に関する情報を前記他方のエレベーターのエレベーター制御装置へ送信し、前記他方のエレベーターのエレベーター制御装置は前記一方のエレベーターの運転状態に関する情報を受信すると、前記他方のエレベーターの乗場に設けられた表示装置に対して前記一方のエレベーターの運転状態に関する情報を表示する指令を与えることを特徴とすることを特徴とするエレベーター装置。
【発明の詳細な説明】
【技術分野】
【０００１】
本発明は、エレベーター装置に係り、特に、乗客がエレベーターの運転状態を知るのに好適なエレベーター装置に関する。
【背景技術】
【０００２】
地震による運転停止もしくは故障や保守員による保守作業中等によりエレベーターが稼動停止の時、設置されている複数台のエレベーターの内に使用可能なエレベーターがある場合に、使用可能なエレベーターの存在が判れば、乗客は、階段などの代替手段を利用したり、エレベーターの復旧を待ったりすることなく、使用可能なエレベーターを利用して建物内を移動することができる。このような使用可能なエレベーターの存在を知らしめる技術として、群管理される同一エレベーター群内で、どのエレベーターがどのエリアを走行しているか表示する技術が知られている（特許文献１参照）。
【先行技術文献】
【特許文献】
【０００３】
【特許文献１】特開２００８−３７６３０号公報
【発明の概要】
【発明が解決しようとする課題】
【０００４】
上記従来技術は、群管理される同一エレベーター群内で適用されるものであり、同一フロア上であっても乗場が互いに離れ、それぞれ独立して制御されるエレベーター間には適用できなかった。このため、フロアが広い、両エレベーターの乗り場間に物体が存在する等の要因により互いのエレベーターが目視できないような場合には、乗客は使用可能なエレベーターの存在を知ることが難しいという問題があった。
【０００５】
本発明は、上記のような問題点を考慮してなされたものであり、複数のエレベーターの乗場が互いに離れていても、乗客がエレベーターの運転状態を容易に知ることを可能ならしめるエレベーター装置を提供することを目的とする。
【課題を解決するための手段】
【０００６】
上記の課題を解決するために、本発明においては、離れた場所に設置された複数のエレベーターの運転状態に関する情報を収集し、収集されたあるエレベーターの運転状態に関する情報を他のエレベーターの乗場において表示する。
【０００７】
これによれば、エレベーターの乗客は、自分が居る乗場から離れた乗場に発着するエレベーターの運行状態を容易に知ることができるので、非常時や保守作業中に利用可能なエレベーターの存在を確認して、これを利用することが可能になる。
【０００８】
上記のような本発明の一態様として、第一のエレベーターの運転状態を制御する第一の制御装置に接続され、前記第一のエレベーターの運転状態を監視する第一の監視装置と、第二のエレベーターの運転状態を制御する第二の制御装置に接続され、前記第二のエレベーターの運転状態を監視する第二の監視装置と、前記第一および第二の監視装置から、それぞれ前記第一及び第二のエレベーターの運転状態に関する情報を通信回線を介して収集する監視センタ装置と、を備えるエレベーター装置において、前記監視センタ装置は、収集した前記第一および第二のエレベーターの運転状態に関する情報の内、一方のエレベーターの運転状態に関する情報を前記通信回線を介して他方のエレベーターの監視装置へ送信し、前記他方のエレベーターの監視装置は前記一方のエレベーターの運転状態に関する情報を前記他方のエレベーターのエレベーター制御装置へ送信し、前記他方のエレベーターのエレベーター制御装置は前記一方のエレベーターの運転状態に関する情報を受信すると、前記他方のエレベーターの乗場に設けられた表示装置に対して前記一方のエレベーターの運転状態に関する情報を表示する指令を与えて表示する。
【０００９】
上記一態様によれば、一方のエレベーターの乗場に居る乗客が他方のエレベーターの運転状態を容易に知ることができ、第一および第二すなわち複数のエレベーターの乗場が互いに離れていても、利用可能なエレベーターの存在を知ることが可能になる。さらに、エレベーターの運転状態を監視する監視装置および監視装置からエレベーターの運転状態に関する情報を収集する監視センタ装置を備えているため、第一および第二のエレベーター間に特別な通信回線を設ける必要が無い。
【発明の効果】
【００１０】
本発明によれば、複数のエレベーターの乗場が互いに離れていても、乗客が利用可能なエレベーターの存在を知ることが可能になる。
【図面の簡単な説明】
【００１１】
【図１】本発明の一実施形態であるエレベーター装置の全体構成図である。
【図２】本実施形態が適用されるエレベーターの配置例である。
【図３】エレベーター制御装置の表示装置への表示処理を示すフローチャートである。
【発明を実施するための形態】
【００１２】
以下、図面を参照して本発明の実施形態を説明する。
【００１３】
図１は本発明の一実施形態であるエレベーター装置の全体構成図を示し、図２は本実施形態が適用されるエレベーターの配置例を示し、図３は本実施形態における発明のエレベーター制御装置の表示装置への表示処理を示すフローチャートである。
【００１４】
図１において、エレベーター１ａは、エレベーター制御装置６ａにより運転状態の制御を行い、遠隔監視装置５ａはエレベーター制御装置６ａに接続され、エレベーター制御装置６ａから受信するエレベーター１ａの運転状態信号によってエレベーター１ａの運転状態を監視する。遠隔監視装置５ａは、公衆通信回線２ａによって、エレベーター１ａが設置される場所から地理的に離れた場所に設置される監視センタ装置４と接続される。監視センタ装置４は、公衆通信回線網２ａを介して、エレベーター１ａの運転状態に関する情報を遠隔監視装置５ａから収集する。例えば、遠隔監視装置５ａは、エレベーター１ａの運転状態に異常が発生した場合もしくは異常状態が復旧した場合、公衆通信回線網２ａを介して監視センタ装置４に、異常発生もしくは異常復旧の状態に関する情報を送信する。
【００１５】
表示装置９ａは、エレベーター１ａの乗場８ａに設けられると共にエレベーター制御装置６ａと接続される。そして、表示装置９ａは、エレベーター制御装置６ａからの指令によりエレベーター１ａの運転状態を表示し、また後述するように他のエレベーターの運転状態を表示して、乗場８ａ上に居る乗客７ａに対し、エレベーター１ａの使用可否、他に使用可能なエレベーターが存在するか否かの情報を通知する。
【００１６】
他方、エレベーター１ｂは、同じ建物内においてエレベーター１ａから離れた位置に設置される。このため、図２に示すように、同一フロアにおいて、エレベーター１ａ，１ｂの各乗場は離れているので、一方の乗場に居る乗客は目視で他方のエレベーターの運転状態を知ることは難しく、フロアが広い場合や、一般の建物のように乗場間に物品，部材，人などが介在する場合はより難しくなる。なお、エレベーター１ｂ，公衆通信回線網２ｂ，エレベーター制御装置６ｂ，遠隔監視装置５ｂ，表示装置９ｂの接続関係や動作及び機能などは、上述したエレベーター１ａ側と同様である。
【００１７】
エレベーター１ａおよびエレベーターｌｂが正常に運転中に、一方のエレベーター、例えばエレベーター１ａが地震や故障等により運転が不可の状態になった場合、遠隔監視装置５ａは、エレベーター制御装置６ａから、エレベーター１ａが運転不可であることを示す運転状態信号を受信し、監視センタ装置４に対して公衆通信回線網２ａを介して、エレベーターｌａが運転不可となったこと示す情報を送信する。
【００１８】
監視センタ装置４は、遠隔監視装置５ａからエレベーター１ａが運転不可となったこと示す情報を受信すると、予め同一フロア上に設置されていると認識して運転状態を管理している複数のエレベーターすなわちエレベーター１ａとエレベーター１ｂの内、エレベーター１ａが使用不可であり、同一フロア上に使用可能であるエレベーター１ｂと使用不可であるエレベーター１ａが存在することを検出する。次に、監視センタ装置４は、エレベーター１ａの遠隔監視装置５ａに対して、公衆通信回線網２ａを介して、エレベーターｌｂが使用可能であること示す情報を送信する。
【００１９】
遠隔監視装置５ａは、監視センタ装置４からエレベーター１ｂが使用可能であることを示す情報を受信すると、当該情報をエレベーター制御装置６ａに送信する。エレベーター制御装置６ａは、遠隔監視装置５ａから当該情報を受け取ると、表示装置９ａに対してエレベーターｌａが使用不可、エレベーターｌｂが使用可能であることを表示するための指令信号を与える。表示装置９ａは、エレベーター制御装置６ａから指令信号を受け取ると、エレベーター１ａが使用不可であることおよびエレベーター１ｂが使用可能であることを表示し、乗場８ａに居る乗客７ａに対して、エレベーターｌａ，１ｂの運転状態を通知して、乗場８ｂに移動してエレベーターｌｂを使用するように促す。
【００２０】
エレベーター１の運転状態が正常状態に復帰した場合は、遠隔監視装置５ａは、エレベーター制御装置６ａから、エレベーター１ａが運転可能であることを示す運転状態信号を受信し、監視センタ装置４に対して、エレベーター１ａが運転可能となったこと示す情報を送信する。この時、エレベーター制御装置６ａは、表示装置９ａにエレベーター１ａが使用可能であることを表示する指令信号を送信する。表示装置９ａは、指令信号を受け取ると、エレベーターｌａが使用可能であることを表示し、乗場８ａに居る乗客７ａに対して、エレベーター１ａが使用可能であることを通知する。
【００２１】
次に、本実施形態におけるエレベーター制御装置が実行する、表示装置への表示処理について、図３を用いて説明する。
【００２２】
手順Ｓｌにおいて、エレベーター１ａが運転可能状態か否かを判別し、運転が可能状態である場合（Ｙ）、手順Ｓ２において表示装置９ａにエレベーター１が運転可能であることを表示する。手順Ｓｌにおいて、エレベーター１ａが運転不可状態であると判断した場合（Ｎ）、手順Ｓ３において表示装置９ａにエレベーター１ａが運転不可であることを表示する。さらに手順Ｓ４において、遠隔監視装置５ａが監視センタ装置４から同一フロア内に使用可能なエレベーターが存在するという情報を受信しているか否かを確認し、存在しない場合（Ｎ）は表示を変更せず、存在している場合（Ｙ）は、エレベーター１ｂが使用可能であることを表示する。
【００２３】
本実施形態によれば、同じ建物内において離れた位置に設置され、同一フロア内において乗場が互いに離れている複数のエレベーターにおいて、一方のエレベーターが使用不可の状態となっても、他方のエレベーターが使用可能であることを一方のエレベーターの乗場に居る乗客に通知することができる。これにより、乗客は使用可能なエレベーターの存在を容易に知り得るので、乗客の利便性が向上する。
【００２４】
また、本実施形態によれば、エレベーターの運転状態を監視する遠隔監視装置並びに監視センタ装置により、互いに離れたエレベーター間で利用可能なエレベーターに関する情報を通知するので、このような通知をするために建屋内に特別な通信ケーブルなどの通信用設備を敷設する必要がない。
【００２５】
なお、上述した実施形態に限らず、本発明の技術的思想の範囲内で種々の実施形態が可能である。例えば、２箇所に限らず３箇所以上にエレベーターが互いに離れて設置される場合や、複数台のエレベーターが群管理制御されるエレベーター群が、複数群互いに離れて位置する場合にも本発明を実施できる。また、乗場に設ける表示装置としては、文章や映像を表示するものに限らず、音声表示装置など、各種の表示装置を適用できる。また、使用可能なエレベーターの位置を示す案内図を表示しても良い。
【符号の説明】
【００２６】
１ａ，１ｂ  エレベーター
２ａ，２ｂ  公衆通信回線網
３  フロア
４  監視センタ装置
５ａ，５ｂ  遠隔監視装置
６ａ，６ｂ  エレベーター制御装置
７ａ，７ｂ  乗客
８ａ，８ｂ  乗場
９ａ，９ｂ  表示装置
【図１】
2012106822.tif 000003
【図２】
2012106822.tif 000004
【図３】
2012106822.tif 000005